(57)【要約】【課題】奥行き方向のスペースがない場合の設置や天井に密着させての設置が可能な機器収納キャビネットを提供する。【解決手段】上側面板及び下側面板と底板とからなる本体と、この本体の開放された前面及び左右側面を閉塞すると共に係止手段を設けたカバーとからなり、上側面板及び下側面板は両端部及び前面の断面が略Ｌ字となるように形成した曲げ部と、下側面板の曲げ部上面に設けた仮掛け部とを備え、下側面板の曲げ部は上面を平滑に設け、カバーは少なくとも曲げ部との当接箇所を断面が略コ字状となるように形成した当接部を備えた。【選択図】図２
2011119624.tif 000002
【特許請求の範囲】
【請求項１】
上側面板及び下側面板と底板とからなる本体と、該本体の開放された前面及び左右側面を閉塞すると共に係止手段を設けたカバーとからなり、前記上側面板及び下側面板は両端部及び前面の断面が略Ｌ字となるように形成した曲げ部と、前記下側面板の前記曲げ部上面に設けた仮掛け部とを備え、前記カバーは少なくとも前記曲げ部との当接箇所を断面が略コ字状となるように形成した当接部を備えたことを特徴とする機器収納キャビネット。
【請求項２】
前記本体において、前記カバーとの接触面に耐摩耗性部材を貼り付けたことを特徴とする請求項１に記載の機器収納キャビネット。
【発明の詳細な説明】
【技術分野】
【０００１】
本発明は、機器を収納するキャビネット、特にカバー差込式のキャビネットに関するものである。
【背景技術】
【０００２】
従来、機器収納キャビネットには特許文献１に示すような、上下側面板４２及び底板４３から成る本体４１と、前面板及び左右側面板を有し前記本体４１の開放された前面及び左右側面を閉塞するカバー４４とを備え、前記前面板の上下何れか一方に前記本体４１に係止操作する平面ハンドルを設け、他方に握持手段を設けたものがある。
【先行技術文献】
【特許文献】
【０００３】
【特許文献１】特開２００４−０３９７５０号公報
【発明の概要】
【発明が解決しようとする課題】
【０００４】
しかし、特許文献１に記載されているような機器収納キャビネットでは、カバーを装着する際にはカバーを傾ける必要があるため縦方向にスペースが必要となるという欠点があり、このためキャビネットを天井に密着させて取り付けることができないという欠点がある。
【０００５】
又、カバーを完全に取り外さなければ内部に取り付けた機器のメンテナンス等を行えないという欠点がある。
【０００６】
又、機器のメンテナンス等を行う際には取り外したカバーを床等に置いておく必要があり、作業効率が下がるという欠点がある。又、キャビネットの設置位置が高所である場合には脚立等の足場の乗り降りが増え、作業の負担になるという欠点がある。
【課題を解決するための手段】
【０００７】
上記した課題を解決するためになされた本発明の機器収納キャビネットは、上側面板及び下側面板と底板とからなる本体と、この本体の開放された前面及び左右側面を閉塞すると共に係止手段を設けたカバーとからなり、上側面板及び下側面板は両端部及び前面の断面が略Ｌ字となるように形成した曲げ部と、下側面板の曲げ部上面に設けた仮掛け部とを備え、カバーは少なくとも曲げ部との当接箇所を断面が略コ字状となるように形成した当接部を備えた。
【発明の効果】
【０００８】
本発明の機器収納キャビネットによれば、係止手段を解除した状態で、カバーを落下させない位置まで手前に引き出すことで本体側面より内部に取り付けた機器のメンテナンスが可能である。
【０００９】
又、下側面板の上面に仮掛け部を設けたため取り外したカバーの上面部分を仮掛け部の上に乗せることが可能である。又、カバーは本体の形状より略コ字状となるため、本体より出線ケーブルがある場合であっても、干渉を避けてカバーを仮掛けしておくことが可能である。
【００１０】
又、カバーを外さなくてもメンテナンスが可能であり、カバーを完全に外した場合であってもカバーを本体に仮掛けできるため床に置く必要がなくなり、作業時間を短縮することが可能である。
【００１１】
又、カバーの着脱時にカバーが天井や壁と干渉しないので、設置制限をなくすことが可能である。
【図面の簡単な説明】
【００１２】
【図１】図１は本発明の実施例１における機器収納キャビネットの分解斜視図である。
【図２】図２は本発明の実施例１におけるカバーを仮掛け部に仮掛けした状態の斜視図である。
【図３】図３はカバー装着時の図１におけるＡ部をＸ−Ｘで切った際の矢印方向から見た要部拡大断面図である。
【図４】図４は本発明の実施例２における略鋸状に設けた仮掛け部の拡大斜視図である。
【図５】図５は従来技術における、特許文献１に記載の電気機器収納箱のカバー装着時の側面図である。
【発明を実施するための形態】
【００１３】
本発明では、カバーを完全に取り外す必要をなくすことで奥行きのスペースが狭い場所での設置も可能にし、カバーを取り外した場合でも床等に置く必要が無いため、作業者の負担を軽減することを可能とした。
【実施例１】
【００１４】
上側面板２、１２、２２及び下側面板３、１３、２３と底板４、１４とからなる本体１、１１、２１と、この本体１、１１、２１の開放された前面及び左右側面を閉塞すると共に係止手段６、１６を設けたカバー５、１５、２５とからなり、上側面板２、１２、２２及び下側面板３、１３、２３は両端部及び前面の断面が略Ｌ字となるように形成した曲げ部７、１７、２７と、下側面板３、１３、２３の曲げ部７、１７、２７は上面を平滑に設けた仮掛け部８、１８とを備え、カバー５、１５、２５は少なくとも曲げ部７、１７、２７との当接箇所を断面が略コ字状となるように形成した当接部９、１９、２９を備えた。カバー５、１５、２５には前面の上下二箇所に係止手段６、１６を設け、前面にハンドル部、内側に留め金具を備え、ハンドルを回すことによって留め金具が回転し、上側面板２、１２、２２及び下側面板３、１３、２３にカバー５、１５、２５が係止・解除される。カバー５、１５、２５の上下・左右方向の寸法は本体１、１１、２１より小さい寸法とする。これにより、係止手段６、１６を解除した状態で、カバー５、１５、２５を落下させない位置まで手前に引き出すことで本体１、１１、２１側面より内部に取り付けた機器のメンテナンスが可能となる。又、下側面板３、１３、２３の上面に平滑な仮掛け部８、１８を設けたため取り外したカバー５、１５、２５の上面部分を仮掛け部８、１８の上に乗せることが可能となる。又、カバー５、１５、２５は本体１、１１、２１の形状より略コ字状となるため、本体１、１１、２１より出線ケーブルがある場合であっても、干渉を避けてカバー５、１５、２５を仮掛けしておくことが可能となる。又、カバー５、１５、２５を差込式とし、カバー５、１５、２５の上下・左右方向の寸法を本体１、１１、２１より小さい寸法とすることでカバー５、１５、２５が天井や壁面に干渉せず、キャビネットを天井に密着させて設置することが可能となる。又、カバー５、１５を外さなくてもメンテナンスが可能となり、カバー５、１５、２５を完全に外した場合であってもカバー５、１５、２５を本体１、１１、２１に仮掛けできるため床に置く必要がなくなり、作業時間を短縮することが可能となる。又、曲げ部７、１７、２７に当接部９、１９、２９との接触面に樹脂などによる耐摩耗性部材１０、２０、３０を貼り付けることで本体１、１１、２１やカバー５、１５、２５の磨耗を防ぐことが可能となる。
【実施例２】
【００１５】
上側面板及び下側面板３３と底板３４とからなる本体３１と、この本体３１の開放された前面及び左右側面を閉塞すると共に係止手段を設けたカバーとからなり、上側面板及び下側面板３３は両端部及び前面の断面が略Ｌ字となるように形成した曲げ部３７と、下側面板３３の曲げ部３７は上面の一部を略鋸状に設けた仮掛け部３８とを備え、カバーは少なくとも曲げ部３７との当接箇所を断面が略コ字状となるように形成した当接部を備え、且つ仮掛け部３８との当接箇所については仮掛け部３８と嵌合が可能な形状とした。カバーには前面の上下二箇所に係止手段を設け、前面にハンドル部、内側に留め金具を備え、ハンドルを回すことによって留め金具が回転し、上側面板及び下側面板３３にカバーが係止・解除される。カバーの上下・左右方向の寸法は本体３１より小さい寸法とする。これにより、係止手段を解除した状態で、カバーを落下させない位置まで手前に引き出すことで本体３１側面より内部に取り付けた機器のメンテナンスが可能となる。又、下側面板３３上面に略鋸状の仮掛け部３８を設けたため取り外したカバーの上面部分を仮掛け部３８の上に乗せることが可能となる。又、仮掛け部３８を略鋸状としたためカバーがずれて落下する恐れを少なくする事が可能となる。又、カバーは本体３１の形状より略コ字状となるため、本体３１より出線ケーブルがある場合であっても、干渉を避けてカバーを仮掛けしておくことが可能となる。又、カバーを差込式とし、カバーの上下・左右方向の寸法を本体３１より小さい寸法とすることでカバーが天井や壁面に干渉せず、キャビネットを天井に密着させて設置することが可能となる。又、カバーを外さなくてもメンテナンスが可能となり、カバーを完全に外した場合であってもカバーを本体３１に仮掛けできるため床に置く必要がなくなり、作業時間を短縮することが可能となる。
【産業上の利用可能性】
【００１６】
カバーを本体からの出線に干渉させずに本体に仮掛けできるため、作業時間の短縮及び作業者の負担軽減が可能となる。
【符号の説明】
【００１７】
１、１１、２１、３１、４１    本体
２、１２、２２、４２    上側面板
３、１３、２３、３３、４３    下側面板
４、１４、３４、４４    底板
５、１５、２５、４５    カバー
６、１６    係止手段
７、１７、２７、３７    曲げ部
８、１８、３８    仮掛け部
９、１９、２９    当接部
１０、２０、３０    耐磨耗性部材
【図１】
2011119624.tif 000003
【図２】
2011119624.tif 000004
【図３】
2011119624.tif 000005
【図４】
2011119624.tif 000006
【図５】
2011119624.tif 000007